(57)【要約】【課題】設定された撮影枚数に必要な時間の間にストロボをフラット発光させる。【解決手段】本発明は、撮像素子１４と、観察光学系と、被写体光束を上記観察光学系に導く第１の位置と上記被写体光束の光路中から退避して上記被写体光束を撮像素子に導くため第２の位置とに可動するクイックリターンミラー５と、被写体に対しフラット発光を行なうストロボユニット１７を発光させるための発光信号を、上記ミラー５が上記第２の位置にある所定の期間に上記撮像素子１４を複数回の撮像を行なわせる複数駒撮影モードで出力することを特徴とするデジタルカメラである。【選択図】      図１
2006162992.tif 000002
【特許請求の範囲】
【請求項１】
被写体光束を受けて撮像を行なう撮像素子と、
被写体光束を受けて被写体を観察する観察光学系と、
被写体光束を上記観察光学系に導く第１の位置と上記被写体光束の光路中から退避して上記被写体光束を撮像素子に導くため第２の位置に可動する反射ミラーと、
被写体に対してフラット発光を行なうストロボ装置を発光させるための発光信号を出力する発光信号出力手段と、
上記反射ミラーが上記第２の位置にある所定の期間に上記撮像素子に複数回の撮像を行なわせる複数駒撮影モードで、上記発光信号出力手段から上記発光信号を出力するように制御する制御手段と、
を有することを特徴とするデジタルカメラ。
【請求項２】
被写体光束を受けて撮像を行なう撮像素子と、
被写体光束を受けて被写体を観察する観察光学系と、
被写体光束を上記観察光学系に導く第１の位置と上記被写体光束の光路中から退避して上記被写体光束を撮像素子に導くため第２の位置に可動する反射ミラーと、
被写体に対してフラット発光を行なうストロボ装置を発光させるための発光信号を出力する発光信号出力手段と、
上記反射ミラーが上記第２の位置にある所定の期間に上記撮像素子に対し複数回の撮像を行なわせる複数駒撮影モード手段と、
上記複数駒撮影モードのとき撮像動作時には上記発光信号出力手段から上記発光信号を出力するように制御する制御手段と、
を有することを特徴とするデジタルカメラ。
【請求項３】
被写体光束を受けて撮像を行なう撮像素子と、
被写体光束を受けて被写体を観察する観察光学系と、
被写体光束を上記観察光学系に導く第１の位置と上記被写体光束の光路中から退避して上記被写体光束を撮像素子に導くため第２の位置に可動する反射ミラーと、
被写体に対しフラット発光を行なうストロボ装置を発光させるための発光信号を出力する発光信号出力手段と、
上記反射ミラーが上記第２の位置にある所定の期間に上記撮像素子に対し１回の撮像を行なわせる１駒撮影モードと、上記所定の期間に上記撮像素子に対し複数回の撮像を行なわせる複数駒撮影モードのどちらかを選択し、上記複数駒撮影モードが選択されたとき、上記発光信号出力手段から発光信号を出力するように制御する制御手段と、
を有することを特徴とするデジタルカメラ。
【請求項４】
被写体光束を受けて撮像を行なう撮像素子と、
被写体光束を受けて被写体を観察する観察光学系と、
被写体光束を上記観察光学系に導く第１の位置と上記被写体光束の光路中から退避して上記被写体光束を撮像素子に導くため第２の位置に可動する反射ミラーと、
被写体に対しフラット発光を行なうストロボ装置を発光させるための発光信号を出力する発光信号出力手段と、
上記反射ミラーが上記第２の位置にある所定の期間に上記撮像素子に対し１回の撮像を行なわせる１駒撮影モード手段と、
上記所定の期間に上記撮像素子に対し複数回の撮像を行なわせる複数駒撮影モード手段と、
上記１駒撮影モード手段と上記複数駒撮影モード手段のどちらかを実行させるための撮影モード選択手段と、
上記撮影モード選択手段の選択によって上記複数駒撮影モード手段が選択されたときは上記発光信号出力手段から上記発光信号を出力するように制御する制御手段と、
を有することを特徴とするデジタルカメラ。
【請求項５】
上記デジタルカメラは１眼レフカメラであることを特徴とする上記請求項１乃至４に記載のデジタルカメラ。
【請求項６】
上記デジタルカメラはストロボ装置を有することを特徴とする上記請求項１乃至５に記載のデジタルカメラ。
【発明の詳細な説明】
【技術分野】
【０００１】
本発明は、デジタルカメラに係り、特に連続撮影を行うことが可能な一眼レフレックスタイプのデジタルカメラに関する。
【背景技術】
【０００２】
従来、一眼レフレックスタイプのカメラ（以下、一眼レフカメラと略記する）では、１コマにつき内蔵するクイックリターンミラーを１回光路退避位置へ移動させて撮影を行っている。また、１回のレリーズ操作に対して、クイックリターンミラーを上げた状態を保持しつつ複数コマの連続撮影を行うカメラが知られている。そして、この種の技術について、例えば特許文献１では、光学系の入射光を撮像素子側に保持しつつ、１回のミラー駆動で複数コマの高速撮影を可能とするカメラが開示されている。また、今日では、所謂連写モード時に８コマ／秒程度の連写を実現するカメラも実用化されている。
【特許文献１】特開平８−２７８５４１号公報
【発明の開示】
【発明が解決しようとする課題】
【０００３】
ところで、高速で移動している被写体やスポーツ写真等で、決定的な瞬間を捉えたい場合には、数ｍｓｅｃ〜１０数ｍｓｅｃのずれが、撮影タイミングを逃す事態を招く要因となることがある。また、８コマ／秒程度の連続撮影が可能なカメラは、その撮影間隔が１００〜１２５ｍｓｅｃであり、上述したタイミングを逸する可能性が高い。
【０００４】
一方、動画撮影については、一般的に市場に出回っているカメラでは１／６０ｓｅｃ毎に撮影を行っているが、この場合でも、その撮影間隔は１６．７ｍｓｅｃであり、高速での対応は不十分である。更に、動画の場合には、一瞬を捉えたいという撮影者の意図には合わず、無駄な撮影を行ってしまうという課題を依然として有している。
【０００５】
本発明の目的とするところは、全シーケンスの時間は変えずに１回のミラー駆動シーケンスにおける撮影枚数を１駒と複数駒とに切換可能とし、更に設定された撮影枚数に必要な時間の間にストロボをフラット発光させることで、簡易な操作で所望とする一瞬を撮影可能とすることにある。
【課題を解決するための手段】
【０００６】
上記課題を解決するために、本発明の第１の態様では、被写体光束を受けて撮像を行なう撮像素子と、被写体光束を受けて被写体を観察する観察光学系と、被写体光束を上記観察光学系に導く第１の位置と上記被写体光束の光路中から退避して上記被写体光束を撮像素子に導くため第２の位置に可動する反射ミラーと、被写体に対してフラット発光を行なうストロボ装置を発光させるための発光信号を出力する発光信号出力手段と、上記反射ミラーが上記第２の位置にある所定の期間に上記撮像素子に複数回の撮像を行なわせる複数駒撮影モードで、上記発光信号出力手段から上記発光信号を出力するように制御する制御手段と、を有することを特徴とするデジタルカメラが提供される。
【０００７】
本発明の第２の態様では、被写体光束を受けて撮像を行なう撮像素子と、被写体光束を受けて被写体を観察する観察光学系と、被写体光束を上記観察光学系に導く第１の位置と上記被写体光束の光路中から退避して上記被写体光束を撮像素子に導くため第２の位置に可動する反射ミラーと、被写体に対してフラット発光を行なうストロボ装置を発光させるための発光信号を出力する発光信号出力手段と、上記反射ミラーが上記第２の位置にある所定の期間に上記撮像素子に対し複数回の撮像を行なわせる複数駒撮影モード手段と、上記複数駒撮影モードのとき撮像動作時には上記発光信号出力手段から上記発光信号を出力するように制御する制御手段とを有することを特徴とするデジタルカメラが提供される。
【０００８】
本発明の第３の態様では、被写体光束を受けて撮像を行なう撮像素子と、被写体光束を受けて被写体を観察する観察光学系と、被写体光束を上記観察光学系に導く第１の位置と上記被写体光束の光路中から退避して上記被写体光束を撮像素子に導くため第２の位置に可動する反射ミラーと、被写体に対しフラット発光を行なうストロボ装置を発光させるための発光信号を出力する発光信号出力手段と、上記反射ミラーが上記第２の位置にある所定の期間に上記撮像素子に対し１回の撮像を行なわせる１駒撮影モードと、上記所定の期間に上記撮像素子に対し複数回の撮像を行なわせる複数駒撮影モードのどちらかを選択し、上記複数駒撮影モードが選択されたとき、上記発光信号出力手段から発光信号を出力するように制御する制御手段とを有することを特徴とするデジタルカメラが提供される。
【０００９】
本発明の第４の態様では、被写体光束を受けて撮像を行なう撮像素子と、被写体光束を受けて被写体を観察する観察光学系と、被写体光束を上記観察光学系に導く第１の位置と上記被写体光束の光路中から退避して上記被写体光束を撮像素子に導くため第２の位置に可動する反射ミラーと、被写体に対しフラット発光を行なうストロボ装置を発光させるための発光信号を出力する発光信号出力手段と、上記反射ミラーが上記第２の位置にある所定の期間に上記撮像素子に対し１回の撮像を行なわせる１駒撮影モード手段と、上記所定の期間に上記撮像素子に対し複数回の撮像を行なわせる複数駒撮影モード手段と、上記１駒撮影モード手段と上記複数駒撮影モード手段のどちらかを実行させるための撮影モード選択手段と、上記撮影モード選択手段の選択によって上記複数駒撮影モード手段が選択されたときは上記発光信号出力手段から上記発光信号を出力するように制御する制御手段とを有することを特徴とするデジタルカメラが提供される。
【００１０】
本発明の第５の態様では、上記第１乃至第４の態様において、上記デジタルカメラは１眼レフカメラであることを特徴とするデジタルカメラが提供される。
【００１１】
本発明の第６の態様では、上記第１乃至第５の態様において、上記デジタルカメラはストロボ装置を有することを特徴とするデジタルカメラが提供される。
【発明の効果】
【００１２】
本発明によれば、全シーケンスの時間は変えずに１回のミラー駆動シーケンスにおける撮影枚数を１駒と複数駒とに切換可能とし、更に設定された撮影枚数に必要な時間の間にストロボをフラット発光させることで、簡易な操作で所望とする一瞬を撮影可能とするデジタルカメラを提供することができる。
【発明を実施するための最良の形態】
【００１３】
以下、図面を参照して、本発明の実施の形態について説明する。
【００１４】
図１は本発明の一実施の形態に係るデジタルカメラの構成図である。より詳細には図１（ａ）は当該デジタルカメラの正面図であり、図１（ｂ）は当該デジタルカメラの側面図である。また、図２は、図１のデジタルカメラを背面側より見た外観斜視図である。
【００１５】
図１（ａ），（ｂ）に示されるように、このデジタルカメラ１は、ボディユニット２と該ボディユニット２に装着可能なレンズユニット３とで構成される一眼レフカメラである。
【００１６】
即ち、レンズユニット３は、複数のレンズより成るもので、ボディユニット２内の後述する撮像素子１４に撮影光束を導くための撮影レンズ４を有している。
【００１７】
一方、ボディユニット２内には、該ボディユニット２内の各部に電源を供給するバッテリ１０が設けられている。上記撮影レンズ４を通過した撮影光束の光路上には当該撮影光束を反射するクイックリターンミラー（反射ミラー）５が配設されており、当該クイックリターンミラー５の反射光の光路上にはファインダスクリーン６、ペンタプリズム７、接眼光学系８が配設されている。そして、この接眼光学系８の近傍には測光ユニット９が設けられている。更に、クイックリターンミラー５の後方には測距用ミラー１１が設けられており、当該測距用ミラー１１での反射光の光路上には自動測距を行うための測距ユニット１２が設けられている。クイックリターンミラー５の中央部はハーフミラーになっており該クイックリターンミラー５がダウン（図示の位置；第１の位置）した際に一部の光束が透過する。クイックリターンミラー５のアップ時（第２の位置）には、測距用ミラー１１は折り畳まれるようになっている。さらに、クイックリターンミラー５の後方で、撮影光束の光路上には、フォーカルプレーンシャッタ１３と、光学系を通過した被写体像を光電変換するためのＣＣＤ等の撮像素子（イメージャ）１４と、この撮像素子１４等が配設されたメイン回路基板１５と、撮像素子１４により取り込まれた被写体像を表示するモニタ１６とが設けられている。以上のほか、ボディユニット２には、ストロボユニット１７が設けられている。
【００１８】
そして、図２に示されるように、このデジタルカメラ１のボディユニット２の上面部には、表示部２０とシャッタ釦２１、サブダイヤル２２、撮影モードダイヤル２３、メインスイッチ２４、撮影枚数釦２７が設けられている。また、ボディユニット２の背面部には、ファインダ接眼部２６とモニタ１６、メインダイヤル２５が設けられている。
【００１９】
より詳細には、表示部２０は、カメラの撮影情報等を表示するためのものである。シャッタ釦２１は、カメラの撮影操作を行うためのもので、２段式のレリーズスイッチで構成されている。メインダイヤル２５及びサブダイヤル２２は、各種のモードや数値の選択を行うためのダイヤルである。メインスイッチ２４は、本デジタルカメラの電源のオン／オフを切り替える為のスイッチである。撮影モードダイヤル２３は、露出制御方式の切換、例えばプログラムＡＥや絞り優先ＡＥ、シャッタスピード優先ＡＥ、マニュアル等の露出制御方式を選択するためのダイヤルである。そして、撮影枚数釦２７は、連続撮影を行う際のコマ数を設定するための釦である。例えば、初期状態では１コマ撮影、撮影枚数釦２７が１回押下されると３コマ撮影、２回押下されると初期状態に復帰の如くコマ数が設定される。
【００２０】
図３は、本発明の一実施の形態に於けるデジタルカメラの電気系のシステム構成を示すブロック図である。上述したように、この実施の形態に係るデジタルカメラ１は、ボディユニット２とレンズユニット３とにより構成されている。以下、各部につき詳述する。
【００２１】
レンズユニット２は、レンズモータユニット３０と、レンズ駆動回路３１と、絞りモータユニット３２と、絞り駆動回路３３と、レンズ内データ用メモリ３４とを有して構成されている。上記レンズモータユニット３０は、上述した撮影レンズ４を光軸方向に移動させるためのユニットである。このレンズモータユニット３０は、ボディユニット２内の後述する制御回路４０からレンズ駆動回路３１を介して、光軸方向の動きが制御される。絞りモータユニット３２は、制御回路４０から絞り駆動回路３３を介して制御されるものであって、撮像素子１４に入射される光束を制限する絞りを駆動する。また、レンズ内データ用メモリ３４は、撮影レンズ４のＦ値や焦点距離等、レンズユニット３内で使用される各種データが記憶されているものである。これらのレンズユニット３内の各部は、ボディユニット２内の制御回路４０からの指令に従って制御される。
【００２２】
一方、ボディユニット２は、本デジタルカメラ１内の各部の制御を司る制御回路４０を有している。この制御回路４０には、撮像素子（イメージャ）１４とミラー駆動回路４１、シャッタ駆動回路４３、測距回路４５、測光回路４６、メモリ４７、記憶回路４８、スイッチ入力部５０、表示駆動回路５１、画像表示回路５３、ストロボ駆動回路５７、上述したレンズユニット３内のレンズ駆動回路３１、絞り駆動回路３３及びレンズ内データ用メモリ３４が接続されている。撮像素子１４は、多チャンネルで高速読み出しが可能なイメージャで構成されている。ミラー駆動回路４１はモータユニット４２を駆動するためのもので、当該モータユニット４２が駆動されることによってクイックリターンミラー５がアップ位置及びダウン位置へ回転移動される。シャッタ駆動回路４３は、フォーカルプレーンシャッタ１３を構成するシャッタユニット４４を駆動するための回路である。シャッタユニット４４が駆動されることにより、フォーカルプレーンシャッタ１３の開閉、即ちシャッタスピードが制御される。測距回路４５は測距ユニット１２を駆動するためのものであり、この測距ユニット１２が駆動されることで本デジタルカメラ１から図示されない被写体までの距離が測定される。測光回路４６は、測光ユニット９を駆動するための回路である。この測光回路４６により、上記ペンタプリズム７からの光束に基づいて測光処理が行われる。メモリ４７はカメラ制御に必要な所定の制御パラメータや記録メディアへ書き込む前の撮影データを一時的に記憶するものであり、制御回路４０からアクセス可能に設けられている。記録回路４８は、撮像素子１４で撮像した画像をデータとして記録メディア４９に記録しておくための回路である。スイッチ入力部５０は、シャッタ釦２１、サブダイヤル２２、撮影モードダイヤル２３、メインスイッチ２４、撮影枚数釦２７等を有している。表示駆動回路５１は、カメラの上面部に設けられている表示部２０を含む表示ユニット５２を駆動するための回路である。画像表示回路５３は、カメラ背面部に設けられたモニタ１６を含むモニタユニット５４を駆動するための回路である。ストロボ駆動回路５７はストロボ発光部５８を駆動制御するための回路である。尚、請求項記載の観察光学系とは、ファインダスクリーン６、ペンタプリズム７、接眼光学系８等に相当し、制御手段とは制御回路４０等に相当する。発光信号出力手段、１駒撮影モード手段、複数駒撮影モード手段も制御回路４０に含まれる概念である。
【００２３】
次に、図４のタイミングチャートを参照して、本発明の一実施の形態に係るデジタルカメラによる連写モード（３コマ撮影）時の撮影動作について詳細に説明する。
【００２４】
ここでは、ストロボユニット１７はオフされていることを想定している。
【００２５】
以下の説明では、図１乃至図３の構成図を適宜参照する。尚、図中、ｔBはファインダの像消失時間を示し、ｔI1は１コマ目と２コマ目の間隔、ｔI2は２コマ目と３コマ目の間隔（ｔI1＝ｔI2＝3.3msec）、ｔ1は１コマ撮影までのレリーズタイムラグ、ｔ2は２コマ撮影までのレリーズタイムラグ（標準のレリーズタイムラグに相当）、ｔ3は３コマ撮影までのレリーズタイムラグ、をそれぞれ意味している。
【００２６】
シャッタ釦２１が押下され、セカンドレリーズがオンされると、制御回路４０は所定時間を経て絞りモータを正転駆動して不図示の絞りを絞り込み、更にクイックリターンミラー５のアップを開始する。そして、制御回路４０は、当該クイックリターンミラー５が完全にアップされると、シャッタ駆動回路４３によりシャッタユニット４４に含まれるフォーカルプレーンシャッタ１３を駆動して開口状態とし、レリーズタイムラグｔ1，ｔ2，ｔ3をもって連続３回の撮像を撮像素子１４により行う。（以下に、「撮像素子を電気的にシャッタ駆動する」という。即ち、撮像素子の電子シャッタ機能を利用する。）
すなわち、制御回路４０は、連写モード時においては、通常撮影モード時の撮影タイミングで１回、そのタイミングの前後、所定の間隔ｔI1，ｔI2（＝３．３msec）のタイミングで２回の計３回の撮影を行うように制御することになる。
【００２７】
クイックリターンミラー５はファインダの像消失時間だけアップされているが、制御回路４０は、クイックリターンミラー５をダウンし、絞りモータを逆転駆動して絞りを初期状態に戻し、モータをオンしてシャッタユニット４４をメカチャージし、こうして全ての動作を終了する。以上の撮影動作を実現すべく、この実施の形態では、３００コマ／sec程度の連写が可能な素子シャッタ付きのイメージャを採用する。
【００２８】
一方、図５のタイミングチャートを参照して、本発明の一実施の形態に係るデジタルカメラによる連写モード（３コマ撮影）時の撮影動作について詳細に説明する。
【００２９】
ここでは、ストロボユニット１７がオンされていることを想定している。
【００３０】
同図より、ストロボユニット１７がオンされている場合には、設定された撮影枚数（ここでは連続３駒）に必要な時間（ここではｔI1＋ｔI2以上）の間、制御回路４０はストロボ駆動回路５７を駆動して、ストロボ発光部５８をフラット発光させることで、ストロボ撮影を実現している。この点は、本発明の特徴部分の一つである。尚、フラット発光とは、フォーカルプレーンシャッタ１３を有するカメラにおいて、ストロボ発光部５８のキセノン管を発光する場合に、撮影のための露出秒時が当該フォーカルプレーンシャッタ１３のストロボ同調秒時よりも速いときには、ストロボ駆動回路５７内のコンデンサに蓄積したエネルギを少量ずつ断続的に放出することで、ストロボ発光部５８のキセノン管の発光を一定時間継続して行い、被写体を照射することをいう。
【００３１】
以下、図６のフローチャートを参照して、本発明の一実施の形態に係るデジタルカメラによる撮影動作を更に詳細に説明する。ここでは、図１乃至図３を適宜参照する。
【００３２】
シャッタ釦２１が半押しされファーストレリーズがオンされると（ステップＳ１）、制御回路４０による制御の下、測距ユニット１２による測距、測光ユニット９による測光が行われ（ステップＳ２，Ｓ３）、セカンドレリーズがオンされるまでステップＳ１乃至Ｓ３の動作を繰り返し、セカンドレリーズがオンされると（ステップＳ４）、クイックリターンミラー５をアップすると共にレンズの絞込みを行い（ステップＳ５）、連写モード（複数駒撮影モード）であるか否かを判断する（ステップＳ６）。
【００３３】
ここで、連写モードである場合には、被写体輝度が低輝度であるか否かを判断し（例えば所定の閾値との比較による）（ステップＳ７）、低輝度である場合にはストロボ発光を開始し（ステップＳ８）、シャッタユニット４４に含まれるシャッタ先幕マグネットをオフし（ステップＳ９）、撮像素子を電気的にシャッタ駆動し（ステップＳ１０、図中、素子シャッタ駆動）、撮像素子のデータを読み出し、露出設定回数だけ上記ステップＳ１０乃至Ｓ１１の処理を繰り返し、複数駒撮像を実行し（ステップＳ１２）、設定回数だけ処理が終了すると、シャッタ後幕マグネットをオフし（ステップＳ１３）、ストロボ発光を停止し（ステップＳ１４）、ステップＳ１５以降の処理に進む。上記ステップＳ７で低輝度でないと判断された場合には、ストロボ発光部５８を発光することなく、ステップＳ９の処理を実行するので、ステップＳ１４でのストロボ発光停止の動作も不要となることは言うまでもない。
【００３４】
一方、連写モードではない場合、シャッタユニット４４に含まれるシャッタ先幕マグネットをオフし（ステップＳ１７）、撮像素子１４を電気的にシャッタ駆動し（ステップＳ１８）、シャッタ後幕マグネットをオフし（ステップＳ１９）、ステップＳ１５以降の処理に進む。こうして、クイックリターンミラー５をダウンすると共にレンズ絞り開放とし（ステップＳ１５）、メカチャージを行い（ステップＳ１６）、動作を終了する。
【００３５】
尚、図１乃至３では、ストロボユニット１８をボディユニット２内に実装する例を示したが、図７、図８に示されるように、ストロボ回路１００とストロボ発光部１０１からなる外付けのストロボユニット１８を採用することも可能である。
【００３６】
以上説明したように、本発明の一実施の形態によれば、１回のミラーシーケンスにおける撮影枚数を切換可能なカメラにおいて、所望とする場合には、撮影中にストロボ発光部をフラット発光させることが可能となる。一般に、複数駒の連続撮影を行なう場合には撮像素子のデータでの撮像の各タイミングに正確に同期させて発光させなければならなかったが、本発明によれば、最初の発光タイミングさえ同期させることができれば、発光時間を制御したフラット発光が実現されるので、例えば外付けのストロボユニットを使用する場合にも通信の遅れによる不具合の影響を軽減することができる。
【００３７】
以上、本発明の実施の形態について説明したが、本発明はこれに限定されることなくその主旨を逸脱しない範囲で種々の改良・変更が可能である。例えば、前述した技術はデジタルカメラのみならず、撮像素子を用いて撮影を行なう各種の装置に適用可能である。
【図面の簡単な説明】
【００３８】
【図１】（ａ）は本発明の一実施の形態に係るデジタルカメラの正面図、（ｂ）はデジタルカメラの側面図である。
【図２】図１のデジタルカメラを背面側より見た外観斜視図である。
【図３】本発明の一実施の形態に於けるデジタルカメラの電気系のシステム構成を示すブロック図である。
【図４】本発明の一実施の形態に係るデジタルカメラによる連写モード（３コマ撮影）時の撮影動作について詳細に説明するタイムチャートである。
【図５】本発明の一実施の形態に係るデジタルカメラによる連写モード（３コマ撮影）時の他の撮影動作について詳細に説明するタイムチャートである。
【図６】本発明の一実施の形態に係るデジタルカメラによる撮影動作を更に詳細に説明するフローチャートである。
【図７】（ａ）は本発明の一実施の形態に係るデジタルカメラの改良例の正面図、（ｂ）はデジタルカメラの改良例の側面図である。
【図８】本発明の一実施の形態に於けるデジタルカメラの改良例の電気系のシステム構成を示すブロック図である。
【符号の説明】
【００３９】
１・・・デジタルカメラ、２・・・ボディユニット、３・・・レンズユニット、４・・・撮影レンズ、５・・・クイックリターンミラー、６・・・ファインダスクリーン、７・・・ペンタプリズム、８・・・接眼光学系、９・・・測光ユニット、１０・・・バッテリ、１１・・・測距用ミラー、１２・・・測距ユニット、１３・・・フォーカルプレーンシャッタ、１４・・・撮像素子、１５・・・メイン回路基板、１６・・・モニタ、１７・・・ストロボユニット、１８・・・ストロボユニット。
【図１】
2006162992.tif 000003
【図２】
2006162992.tif 000004
【図３】
2006162992.tif 000005
【図４】
2006162992.tif 000006
【図５】
2006162992.tif 000007
【図６】
2006162992.tif 000008
【図７】
2006162992.tif 000009
【図８】
2006162992.tif 000010